(57)【要約】【課題】  横型ブラインドの遮光性を向上させるため、スラット傾斜角度を直角に近付けることができるラダーコードを提供する。【解決手段】  前後２本の縦紐とその前後紐の間を梯子状に渡る２本の横糸とからるラダーコードにおいて、横糸は、前側の縦紐の前面から出て後側の縦紐の後面に入ることにより前側縦紐から後側縦紐へ渡り、後側の縦紐の後面から出て前側の縦紐の前面に入ることにより後側縦紐から前側縦紐へ渡ることを特徴とする。。【選択図】      図３
2006274686.tif 000002
【特許請求の範囲】
【請求項１】
前後２本の縦紐とその前後縦紐の間を梯子状に渡る２本の横糸とからるラダーコードにおいて、前記横糸は、前側縦紐から後側縦紐へ渡るとき、前側の縦紐の前面から出て後側の縦紐の後面に入り、後側縦紐から前側縦紐へ渡るとき、後側の縦紐の後面から出て前側の縦紐の前面に入ることを特徴とする横型ブラインドのラダーコード。
【請求項２】
縦糸は、前後幅に比べて左右幅が狭い前後方向に扁平な編紐であることを特徴とする請求項１に記載の横型ブラインドのラダーコード。
【請求項３】
前後２本の縦紐とその前後縦紐の間を梯子状に渡る２本の横糸とからるラダーコードにおいて、前記横糸は、前側縦紐から後側縦紐へ渡るとき、前側の縦紐の側面から出て後側の縦紐の側面に入り、後側縦紐から前側縦紐へ渡るとき、後側の縦紐の側面から出て前側の縦紐の側面に入ることを特徴とする横型ブラインドのラダーコード。
【請求項４】
横糸の一方は、前側縦紐から後側縦紐へ渡るとき、前側の縦紐の左側面から出て後側の縦紐の左側面に入り、後側縦紐から前側縦紐へ渡るとき、後側の縦紐の左側面から出て前側の縦紐の左側面に入り、他方は、前側縦紐から後側縦紐へ渡るとき、前側の縦紐の右側面から出て後側の縦紐の右側面に入り、後側縦紐から前側縦紐へ渡るとき、後側の縦紐の右側面から出て前側の縦紐の右側面に入ることを特徴とする請求項３に記載の横型ブラインドのラダーコード。
【請求項５】
縦糸は、前後幅に比べて左右幅が広い左右方向に扁平な編紐であることを特徴とする請求項３又は４に記載の横型ブラインドのラダーコード。
【発明の詳細な説明】
【技術分野】
【０００１】
本発明は、横型ブラインドのスラットを吊り下げ支持するラダーコードに関する。
【背景技術】
【０００２】
横型ブラインドは、ヘッドボックス内のスラット角度調整装置から垂下してスラット列を支持する２本以上のラダーコードを備える。ラダーコードは、前後２本の縦紐とその前後縦紐の間を梯子状に渡る横糸とからなり、その横糸は、スラット列の各段のスラットを支持する。スラット角度調整装置は、ラダーコードの前後の縦紐を相対的に上下にずらせてスラット角度を調整する。前後の縦紐に上下ずれがないとき、スラットは水平であり、スラット角度は０度である。前後の縦紐は相対的に上下にずれるに従い、相互に接近し、スラットは前方又は後方に傾斜する。スラットの前後幅は横糸の上下間隔よりも狭いから、横型ブラインドの遮光性は、スラットの傾斜角度が直角に近付くほど高くなる。
【０００３】
従来のラダーコードは、図１に示すように、縦紐１、２は前後幅に比べて左右幅が狭い扁平な編紐である。２本の横糸３は浮き糸であり、前側の縦紐１の後面から出て後側の縦紐２の前面に入る。横型ブラインドで遮光するとき、図２に示すように、前後の縦紐１、２を相対的に上下にずらせて接近させ、スラット７を傾斜させる。このとき、遮光性を向上させるため、スラット傾斜角度を直角に近付けようとすると、横糸３の前側の屈曲部４は前側の縦紐１とスラット７の間に挟まれ、後側の屈曲部５はスラット７と後側の縦紐２の間に挟まれて共に反発し、横糸直線部６とスラット７と昇降コード８を間に挟持する前後の縦紐１、２の接近を阻み、スラット傾斜角度を直角に近付けることを妨げる。このように、従来のラダーコードは、遮光性の点において問題があった。
【特許文献１】特開２００３−３２８６６４号公報
【発明の開示】
【発明が解決しようとする課題】
【０００４】
本発明は、上記問題を解決するためになされたものであり、その課題は、横型ブラインドの遮光性を向上するため、スラット傾斜角度を直角に近付けることができるラダーコードを提供することである。
【課題を解決するための手段】
【０００５】
前記課題を達成するため、本発明が採用する手段は、前後２本の縦紐とその前後縦紐の間を梯子状に渡る２本の横糸とからるラダーコードにおいて、横糸を、前側の縦紐の前面又は側面から出して後側の縦紐の後面又は側面に入れることにより前側の縦紐から後側の縦紐へ渡し、後側の縦紐の後面又は側面から出して前側の縦紐の前面又は側面に入れることにより後側の縦紐から前側の縦紐へ渡すことを特徴とする。
【発明の効果】
【０００６】
本発明のラダーコードは、上記手段により、横糸の前側の屈曲部は前側の縦紐の前面又は側面に、後側の屈曲部は後側の縦紐の後面又は側面にそれぞれ位置し、いずれも、スラットに押されて反発することはないから、前後の縦紐は、間にスラットと横糸直線部と昇降コードを挟持して相互に十分接近する。その結果、スラットの傾斜角度は直角に近付き、横型ブラインドの遮光性は向上する。
【発明を実施するための最良の形態】
【０００７】
本発明のラダーコードにおいて、横糸を縦紐の側面に出入させる場合、縦紐は前後幅に比べて左右幅が狭い扁平な紐とし、横糸を縦紐の側面に出入させる場合、縦紐は前後幅に比べて左右幅が広い扁平な紐とすることが好ましい。
【実施例】
【０００８】
本発明を図面に示す実施例に基づいて説明する。図３は、本発明ラダーコードの実施例の要部を示す斜視図、図４は、図３のラダーコードによるスラットの傾斜状態を示す図、図５は、別の実施例の要部を示す斜視図、図６は、図５のラダーコードによるスラットの傾斜状態を示す図である。
【０００９】
図３に示すように、ラダーコードは、前後２本の縦紐１ａ、２ａと、その間を梯子状に渡る横糸３ａとからなる。前後の縦紐１ａ、２ａは前後幅に比べて左右幅が狭い前後方向に扁平な編紐である。２本の横糸３ａは浮き糸であり、前側の縦紐１ａの前面から出て後側の縦紐２ａの後面に入ることにより、前側の縦紐１ａから後側の縦紐２ａに渡る。ついで、後側の縦紐２ａ内を縦方向に波形に通る。次に、後側の縦紐２ａの後面から出て前側の前面に入ることにより、後側の縦紐２ａから前側の縦紐１ａに渡る。
【００１０】
図４に示すように、スラット傾斜角度を直角に近付けてブラインドの遮光性を向上させるため、前後の縦紐１ａ、２ａを相対的に上下にずらせて相互に接近させるとき、横糸３ａの前側の屈曲部４ａは前側の縦紐１ａの前面にあり、後側の屈曲部５ａは後側の縦紐２ａの後面にあり、いずれも、スラット７に押されて反発することはないから、前後の縦紐１ａ、２ａは、横糸３ａの屈曲部４ａ、５ａに妨害されずに、横糸直線部６ａ、スラット７、昇降コード８を間に挟持して相互に十分接近する。その結果、スラット傾斜角度は直角に近付き、遮光性は著しく向上する。
【００１１】
図５に示すラダーコードの前後の縦紐１ｂ、２ｂは前後幅に比べて左右幅が広い左右方向に扁平な編紐である。２本の横糸３ｂは浮き糸であり、一方は、前側の縦紐１ｂの左側面から出て後側の縦紐２ｂの左側面に入ることにより、前側の縦紐１ｂから後側の縦紐２ｂに渡る。ついで、後側の縦紐２ｂ内を縦方向に波形に通る。次に、後側の縦紐２ｂの左側面から出て前側の縦紐１ｂの左側面に入ることにより、後側の縦紐２ｂから前側の縦紐１ｂに戻る。横糸３ｂの他方は、前側の縦紐１ｂの右側面から出て後側の縦紐２ｂの右側面に入ることにより、前側の縦紐１ｂから後側の縦紐２ｂに渡る。ついで、後側の縦紐２ｂ内を縦方向に波形に通る。次に、後側の縦紐２ｂの右側面から出て前側の縦紐１ｂの右側面に入ることにより、後側の縦紐２ｂから前側の縦紐１ｂに戻る。
【００１２】
図６に示すように、スラット傾斜角度を直角に近付けてブラインドの遮光性を向上させるため、前後の縦紐１ｂ、２ｂを相対的に上下にずらせて相互に接近させるとき、横糸３ｂの前側の屈曲部５ｂは前側の縦紐１ａの側面にあり、後側の屈曲部６ｂは後側の縦紐２の側面にあり、いずれも、スラット４に押されて反発することはないから、前後の縦紐１ｂ、２ｂは、横糸３ｂの屈曲部５ｂ、６ｂに妨害されずに、横糸直線部６ｂ、スラット７、昇降コード８を間に挟持して相互に十分に接近する。その結果、スラット傾斜角度は直角に近付き、遮光性は著しく向上する。
【図面の簡単な説明】
【００１３】
【図１】従来例ラダーコードの要部を示す側面図、
【図２】従来例によるスラットの傾斜状態を示す図、
【図３】本発明実施例ラダーコードの要部を示す斜視図、
【図４】図３のラダーコードによるスラットの傾斜状態を示す図、
【図５】別の実施例の要部を示す斜視図、
【図６】図５のラダーコードによるスラットの傾斜状態を示す図。
【符号の説明】
【００１４】
１、１ａ、１ｂ：縦紐（前側）
２、２ａ、２ｂ：縦紐（後側）
３、３ａ、３ｂ：横糸
４、４ａ、４ｂ：屈曲部（前側）
５、５ａ、５ｂ：屈曲部（後側）
６、６ａ、６ｂ：直線部
７：スラット
８：昇降コード
【図１】
2006274686.tif 000003
【図２】
2006274686.tif 000004
【図３】
2006274686.tif 000005
【図４】
2006274686.tif 000006
【図５】
2006274686.tif 000007
【図６】
2006274686.tif 000008